(57)【要約】【課題】本発明は、指及び指の関節部に生じる痛みを緩和する使い勝手の良い指保護具の提供を目的とする。【解決手段】保護部と装着部とを備え、保護部は、指先保護部と関節保護部とを有し、指先保護部は、指先と指先第１関節の側部との間にまたがってアーチ状に形成してあり、関節保護部は、指先第１関節の腹部側をおおう略Ｕ字形状に形成してあり、装着部は、保護部を支持しつつ指の付け根よりの腹部に装着するものであることを特徴とする。【選択図】  図１
2008149020.tif 000002
【特許請求の範囲】
【請求項１】
保護部と装着部とを備え、
保護部は、指先保護部と関節保護部とを有し、指先保護部は、指先と指先第１関節の側部との間にまたがってアーチ状に形成してあり、関節保護部は、指先第１関節の腹部側をおおう略Ｕ字形状に形成してあり、装着部は、保護部を支持しつつ指の付け根よりの腹部に装着するものであることを特徴とする指保護具。
【請求項２】
指先保護部は、取り替え又は長さ調整可能になっていることを特徴とする請求項１記載の指保護具。
【請求項３】
関節保護部は、Ｕ字部の長さが調整可能になっていることを特徴とする請求項１記載の指保護具。
【発明の詳細な説明】
【技術分野】
【０００１】
本発明は、指及び指の関節部に生じる痛みを緩和する指保護具に関する。
【背景技術】
【０００２】
従来、リウマチ等の病に侵された人は、指等の節々に痛みが生じる等の後遺症を患っており、苦痛と共に生活しなければならないと言う問題があった。
不意に指をどこかに打ち当てた際には指の関節部に痛みが生じ、後遺症よっては、曲げた指を伸ばせない場合や、指が変形してしまう場合もあった。
【０００３】
特開２０００−１５７５６７号公報に、指に装着する指固定具を開示するが、指の骨折または縫合治療の際に指の動作を抑制するものであり、生活する上での使い勝手が悪かった。
【特許文献１】特開２０００−１５７５６７号公報
【発明の開示】
【発明が解決しようとする課題】
【０００４】
本発明は、指及び指の関節部に生じる痛みを緩和する使い勝手の良い指保護具の提供を目的とする。
【課題を解決するための手段】
【０００５】
本発明に係る指保護具は、保護部と装着部とを備え、保護部は、指先保護部と関節保護部とを有し、指先保護部は、指先と指先第１関節の側部との間にまたがってアーチ状に形成してあり、関節保護部は、指先第１関節の腹部側をおおう略Ｕ字形状に形成してあり、装着部は、保護部を支持しつつ指の付け根よりの腹部に装着するものであることを特徴とする。
指先保護部及び関節保護部は、装着部と一体的に設けても良いが、Ｕ字部の長さが調整可能になっているとよい。
また、指先保護部及び関節保護部を装着部に取り付けたり、取り外しが可能になっていても良い。
本明細書においては、指の爪側を背とし、その反対側を指の腹部と称し、指と指との間に沿った部分を指の側部と称する。
指先保護部は、装着部に一体的に設けてもよく、別体を装着部に取り付けても良い。
【発明の効果】
【０００６】
本発明においては、アーチ状の指先保護部を有するので、指先保護部にて指先に当たる衝撃を緩和し、関節保護部で指の関節部を保護しつつ、指先の腹部が露出しているので指先の腹部を使って物に直接触ることができ、生活する上での使い勝手が良い。
また、指先保護部のアーチ状の長さや関節保護部のＵ字部の長さが調整可能になっていると、指の太さや装着する部位に合わせて装着長さが調整できるので指にフィットしやすい。
【発明を実施するための最良の形態】
【０００７】
図１に本発明に係る指保護具１０の例を示し、（ａ）は指２０に装着した状態、（ｂ）は関節保護部の拡大図、（ｃ）は斜視図を示す。
この指保護具１０は、指先保護部１１、関節保護部１２及び装着部１３を有しており、特に、指先２１及び指先第１関節２２に生じる痛みを緩和するのに効果的である。
指先２１から指の側部に沿って指先第１関節２２を越える辺りまでをアーチ状の指先保護部１１にて形成してある。
指先保護部は、樹脂製でも金属ワイヤーでもよいが、指先の腹部は露出していて、この指先腹部で物に触れることができるようになっている。
指先保護部１１の先端部１１ａの内側は指先に接触していても、接触しないように所定の隙間を空けていても良い。
指先保護部１１の先端部１１ａの内側が指先に接触していると指保護具１０が指から外れにくくなるが、接触しないように所定の隙間を空けてあると、指先が上下に動きやすい。
関節保護部１２は、指先第１関節２２の腹部側をおおうようにＵ字形状になっていて内側に連結突起１２ａを有している。
関節保護部１２も指先保護部１１と同様に金属製でも樹脂製でもよく材質を問わない。
装着部１３は、第２関節２３から指の付け根２４の中間辺りまでを、指の側部に沿って、かつ、指の付け根側の腹部に沿って設けてあるとともに、指先保護部１１の両側とつながっている。
装着部１３は弾性を有しているのが良く、弾性樹脂又は形状記憶樹脂等が例として挙げることができる。
図１に示したように、装着部１３の腹部側１３ｃの一部を切り欠いておくのがよく、指が蒸れることを防ぎ、違和感なく装着したまま生活することができる。
装着部１３の指先第１関節に対応する位置の取付部１３ａには、複数列の取付孔１３ｂを有し、関節保護部１２の連結突起１２ａを挿入する取付孔を替えることでＵ字の長さが調整可能になっている。
また、関節保護部１２が装着部１３から取り外せるようになっている。
【０００８】
図２に本発明に係る他の実施例として、装着部の長手方向の長さが調整できるように切り込み用のスリット１４を設けた例である。
この実施例の場合には、例えばａのスリットで切ることで長さを短くできる。
また、スリットは切りやすくするのが目的であり溝であってもよい。
図３には、指の太さに合わせて装着部１３の指の背側１５の幅を調整できるように切り込み部１５ａを設けた例を示す。
図３（ｂ）、（ｃ）に装着部の拡大図を示したように、例えば、ｂで示した溝部１５ａで切り取る。
【０００９】
図４には、親指３０用の指保護具の例を示し、関節保護部１２と装着部１３との間が短くなっている。
【００１０】
図５に示した指保護具の例は、指先保護部１１の長さが調整可能であり、且つ、取り替えることができる例を示す。
装着部１３の指先よりに設けた取付部１３ｃに複数の取付孔１３ｄを形成し、この取付孔１３ｄに嵌着する取付突起１１ｂを有する指先保護部１１Ａとなっている。
指先保護部１１Ａの取付部付近の部分拡大図を図５（ｂ）、（ｃ）に示す。
取付突起１１ｂを嵌着する取付孔１３ｄの位置を指先側と指の付け根側とに替えることで、指先の長さに合わせて指先保護部１１Ａの奥行きを調整できる。
また、図５（ｄ）に示すように指先保護部の大きさの異なる例えば、１１Ａ、１１Ｂ、１１Ｃの３つの種類を造ると、指先長さに合わせて取り替えることができる。
【００１１】
図６に示した例は、断面略Ｕ字形状の装着部１３の底部よりに装着力の調整ができる溝１５ｂを形成するとともに、図６（ｄ）に示すように外側の溝１５ｂにカッター等で切り込み部１５ｃを形成して、さらに弾力性を調整し、指の付け根よりの太さや形状にフィットさせることができる例を示す。
【図面の簡単な説明】
【００１２】
【図１】本発明に係る指保護具の例を示す。
【図２】本発明の他の実施例を示す。
【図３】本発明の他の実施例を示す。
【図４】親指用の指保護具の例を示す。
【図５】指先保護部が取り外し及び交換できる指保護具の例を示す。
【図６】装着部の底部よりに調整溝を設けた指保護具の例を示す。
【符号の説明】
【００１３】
１０      指保護具
１１      指先保護部
１１ａ    先端部
１２      関節保護部
１２ａ    連結突起
１３      装着部
１３ａ    取付部
１３ｂ    取付孔
２０      指
２１      指先
３０      親指
【図１】
2008149020.tif 000003
【図２】
2008149020.tif 000004
【図３】
2008149020.tif 000005
【図４】
2008149020.tif 000006
【図５】
2008149020.tif 000007
【図６】
2008149020.tif 000008